(57)【要約】【課題】  ＬＣコネクタ用のパッチパネルにＳＣコネクタを装着可能とアタッチメントを提供することを課題とする。【解決手段】  アタッチメント３０を用いて２個のＳＣコネクタ２０をパネル６に取り付ける。下側に配置されるＳＣコネクタ２０が下側載置部３２に載置される。上側に配置されるＳＣコネクタ２０が一時載置部３１に一時的に載置される。アタッチメント３０をパネル６に取り付けたら、上側に配置されるＳＣコネクタ２０を一時載置部３１より上方にある上側載置部３６に載置する。【選択図】  図８
2010145974.tif 000002
【特許請求の範囲】
【請求項１】
２個のＳＣコネクタをパネルに取り付けるために使用される光コネクタ取り付け用アタッチメントであって、
下側に配置されるＳＣコネクタが載置される下側載置部と、
上側に配置されるＳＣコネクタが一時的に載置される一時載置部と、
一時載置部より高い位置にあり、上側に配置されるＳＣコネクタが載置される上側載置部と、
前記光コネクタ取り付け用アタッチメントが前記パネルの取り付け孔に挿入された際に、前記パネルに当接して挿入を止める突当て部と、
前記下側載置部から下方に延在し、前記パネルに係合して前記光コネクタ取り付け用アタッチメントの挿入方向とは反対方向への移動を規制する係合部と
を有する光コネクタ取り付け用アタッチメント。
【請求項２】
請求項１記載の光コネクタ取り付け用アタッチメントであって、
上側のＳＣコネクタが前記上側載置部に載置されたときに、上側ＳＣコネクタのフランジを下側から支持するフランジ支持部をさらに有する光コネクタ取り付け用アタッチメント。
【請求項３】
請求項１又は２記載の光コネクタ取り付け用アタッチメントであって、
上側のＳＣコネクタの胴部に当接して上側のＳＣコネクタの幅方向の移動を規制する第２の上側位置決め部をさらに有する光コネクタ取り付け用アタッチメント。
【請求項４】
請求項１乃至３のうちいずれか一項記載の光コネクタ取り付け用アタッチメントであって、
下側載置部に載置された下側のＳＣコネクタの胴部に当接して下側のＳＣコネクタの幅方向の移動を規制する下側位置決め部をさらに有する光コネクタ取り付け用アタッチメント。
【請求項５】
２個のＳＣコネクタをパネルに取り付ける光コネクタ取り付け方法であって、
アタッチメントの下側載置部に下側のＳＣコネクタを載置し、且つアタッチメントの一時載置部に上側のＳＣコネクタを載置し、
アタッチメントを前記パネルの取り付け孔に取り付け、
前記一時載置部に載置されていた上側のＳＣコネクタを持ち上げて前記一時載置部より上方にある上側載置部に載置する
光コネクタ取り付け方法。
【発明の詳細な説明】
【技術分野】
【０００１】
本発明は、光コネクタをパネルに取り付けるためのアタッチメントに関する。
【背景技術】
【０００２】
光通信装置において、多数の光ファイバを高密度に設けて接続することが要求されている。多数の光ファイバを接続するために、光コネクタが取り付けられたパッチパネルが用いられることが多い。パッチパネルは、光ファイバ同士を接続する際に用いる光コネクタ（光アダプタ、あるいは光コネクタアダプタとも称される）が取り付けられて固定される取り付けパネルである。通常、パッチパネルには多数の取り付け孔が例えばマトリックス状に整列して設けられており、光コネクタがその取り付け孔の各々に嵌め込まれて固定される。したがって、多数の光コネクタがマトリックス状に整列してパッチパネルに取り付けられる。パッチパネルに取り付けられた光コネクタの両側から光ファイバを光コネクタに差し込むことで、２本の光ファイバを接続することができる。
【０００３】
一般的に用いられている光コネクタは、汎用性を確保するために特定の規格に基づいた形状となっている。従来、光コネクタとしてＳＣコネクタと称される光コネクタが用いられていた。ＳＣコネクタはＩＥＣ規格（ＩＥＣ６１７５４−４）又はＪＩＳ規格（ＪＩＳ
Ｃ ５９７３）に準ずる光コネクタであり、光通信装置において多用されている。
【０００４】
光通信装置において、多数の光ファイバを高密度に設けて接続するために、ＳＣコネクタより小型のＬＣコネクタが用いられるようになってきている。ＬＣコネクタはＩＥＣ規格（ＩＥＣ６１７５４−２０）に準ずる光コネクタであり、ＳＣコネクタよりも寸法が小さい。このため、同じパッチパネルに対して、ＳＣコネクタを用いたときよりも多い数のＬＣコネクタを取る付けることができ、光ファイバを高密度で接続することができる。
【０００５】
ここで、光コネクタをパネルの取り付け孔に装着する際に、がたつきを防止するための光コネクタ取り付け用金具が提案されている（例えば、特許文献１参照。）。また、ＳＣコネクタ同士を接続する際に用いるＳＣアダプタを保持するためのＳＣアダプタホルダが提案されている（例えば、特許文献２参照。）。さらに、光コネクタを取り外し可能に筐体に装着するための取り付け構造が提案されている（例えば、特許文献３参照。）。
【特許文献１】特開２００７−１８７８９１号公報
【特許文献２】特開２００６−１４５５９７号公報
【特許文献３】特開平８−１２２５７０号公報
【発明の開示】
【発明が解決しようとする課題】
【０００６】
多数の光ファイバを高密度に設けて接続するためには上述のように寸法の小さいＬＣコネクタを用いることが好ましいため、ＬＣコネクタを取り付けるためのパッチパネルが主流となってきている。ところが、以前主流であったＳＣコネクタ及びＳＣコネクタによる接続に適合した光ファイバも市場には多数在庫として残っている。したがって、市場にあるＳＣコネクタを使用するには、ＳＣコネクタ用のパッチパネルを製造し供給し続ける必要がある。しかし、ＬＣコネクタ用のパッチパネルとＳＣコネクタ用のパッチパネルの両方を製造することは非効率的である。
【０００７】
そこで、ユーザの要望に合わせて、ＬＣコネクタ用のパッチパネルにＳＣコネクタを取り付け可能にすることが望まれている。
【課題を解決するための手段】
【０００８】
２個のＳＣコネクタをパネルに取り付けるために使用される光コネクタ取り付け用アタッチメントであって、下側に配置されるＳＣコネクタが載置される下側載置部と、上側に配置されるＳＣコネクタが一時的に載置される一時載置部と、一時載置部より高い位置にあり、上側に配置されるＳＣコネクタが載置される上側載置部と、前記光コネクタ取り付け用アタッチメントが前記パネルの取り付け孔に挿入された際に、前記パネルに当接して挿入を止める突当て部と、前記下側載置部から下方に延在し、前記パネルに係合して前記光コネクタ取り付け用アタッチメントの挿入方向とは反対方向への移動を規制する係合部とを有する光コネクタ取り付け用アタッチメントが提供される。
【０００９】
また、２個のＳＣコネクタをパネルに取り付ける光コネクタ取り付け方法であって、アタッチメントの下側載置部に下側のＳＣコネクタを載置し、且つアタッチメントの一時載置部に上側のＳＣコネクタを載置し、アタッチメントを前記パネルの取り付け孔に取り付け、前記一時載置部に載置されていた上側のＳＣコネクタを持ち上げて前記一時載置部より上方にある上側載置部に載置する光コネクタ取り付け方法が提供される。
【発明の効果】
【００１０】
上述のアタッチメントを用いることにより、ＬＣコネクタ用のパッチパネルの取り付け孔に、ＳＣコネクタを容易に装着することができる。ユーザは、ＬＣコネクタ用のパッチパネルを準備し、必要に応じてアタッチメントを介してＬＣコネクタ用のパッチパネルにＳＣコネクタを装着することができる。
【発明を実施するための最良の形態】
【００１１】
まず、ＬＣコネクタを高密度に装着可能なパッチパネルを有する光ファイバ接続装置について、図１を参照しながら説明する。図１は光ファイバ接続装置の斜視図である。
【００１２】
図１に示す光ファイバ接続装置は、内側ケース２と、内側ケース２を収容する外側ケース４とを有する。内側ケース２は外側ケース４から引き出すことができる。図１は内側ケース２が外側ケース４から引き出された状態を示している。内側ケース２には、多数のＬＣコネクタが装着可能なパッチパネル６が２個設けられている。
【００１３】
図２は図１に示すパッチパネル６の一部を拡大して示す斜視図である。パッチパネル６は、ＬＣコネクタを縦に４個装着可能な取り付け孔を有する。ただし、図２に示すＬＣコネクタは、図３に示すように縦に２個のＬＣコネクタが繋がって一体となった２連ＬＣコネクタ８であり、２連ＬＣコネクタ８が２個、取り付け孔の各々に装着される。
【００１４】
２連ＬＣコネクタ８は胴部から左右に延在するフランジ８ａを有する。また、フランジ８ａから所定の寸法だけ離れてバネ部８ｂが形成されている。パッチパネル６の取り付け孔の幅寸法は、２連ＬＣコネクタ８の胴部の横寸法より大きく、且つ左右のフランジ８ａの幅よりは小さい。また、バネ部８ｂとフランジ８ａとの間の距離は、パッチパネル６の厚さ寸法より僅かに大きい。したがって、２連ＬＣコネクタ８の胴部をパッチパネル６の取り付け孔に差し込んでいくと、取り付け孔の縁部がまずバネ部８ｂに当接する。バネ部８ｂはフランジ８ａに向かって広がるように傾斜しており、２連ＬＣコネクタ８の胴部を挿入していくと、バネ部８ｂは取り付け孔の縁部により押圧されて内側に弾性変形する。そして、フランジ８ａがパッチパネル６に当接してそれ以上挿入できなくなると、バネ部８ｂは取り付け孔の縁部から離れ、弾性変形が元に戻る。これによりフランジ８ａとバネ部８ｂの間にパッチパネル６が挟まれた状態となり、２連ＬＣコネクタ８はパッチパネル６に固定される。図２に示すパッチパネル６の取り付け孔は、２連ＬＣコネクタ８が２個縦に並んで装着できるような縦方向の寸法となっている。
【００１５】
パッチパネル６に装着された２連ＬＣコネクタ８の両側に、図２に示すように光ファイバ１０を差し込むことで、２本の光ファイバ１０が２連ＬＣコネクタ８の中で接続される構造となっている。なお、光ファイバ１０が挿入されていない２連ＬＣコネクタ８の光ファイバ挿入孔には、防塵用キャップ１２が差し込まれている。
【００１６】
ここで、２連ＬＣコネクタ８を装着するための取り付け孔は、ＬＣコネクタの寸法に合わせて寸法が決められており、そのままでは図４に示すＳＣコネクタ２０を装着することはできない。そこで、２連ＬＣコネクタ８を装着するための取り付け孔にＳＣコネクタ２０を装着できるようにアタッチメント（取り付け具）を準備し、アタッチメントを介して２個のＳＣコネクタ２０を取り付け孔に装着する。
【００１７】
図５は図２に示すパッチパネル６の一部を異なる角度から見た斜視図である。図６は図５に示す２連ＬＣコネクタ８を一つの取り付け孔６ａから取り外した状態を示す斜視図である。２連ＬＣコネクタ８は、左右のバネ部８ｂを弾性変形させて内側に凹ませながら、取り付け孔６ａから引き抜いて取り外すことができる。
【００１８】
図７はＬＣコネクタ用の取り付け孔の寸法とＳＣコネクタ用の取り付け孔の寸法を比較して示す図である。図７において、外側の長方形がＬＣコネクタ用の取り付け孔（図６の取り付け孔６ａ）であり、内側の長方形がＳＣコネクタ用の取り付け孔である。図７に示すＬＣコネクタ用の取り付け孔は、２連ＬＣコネクタ８を縦に２個装着するための取り付け孔である。一方、図７に示すＳＣコネクタ用の取り付け孔は、ＳＣコネクタ２０を縦に２個装着するための取り付け孔である。図７には、２個のＳＣコネクタ２０が取り付けられた状態が示されている。
【００１９】
図３に示す２連ＬＣコネクタ８と図４に示すＳＣコネクタ２０は、厚み寸法（高さ寸法）が大きく異なるが、胴部の幅は大きな違いは無く、図７に示すようにＬＣコネクタ用の取り付け孔の幅寸法と、ＳＣコネクタ用の取り付け孔の幅寸法には大きな差は無い。したがって、ＳＣコネクタ２０のフランジ２０ａとバネ部２０ｂによりパネルを挟み込む構成は、ＳＣコネクタ２０を取り付け孔６ａの幅方向の中央に配置することができれば、ＬＣコネクタ用の取り付け孔６ａの幅寸法で使用することができる。
【００２０】
したがって、パッチパネル６の取り付け孔６ａにＳＣコネクタ２０を装着可能にするためのアタッチメントは、２個のＳＣコネクタ２０を取り付け孔６ａの幅方向の中央に配置する機能と、２個のＳＣコネクタを適当な間隔をおいて縦に並ぶようにする機能とを有する。２個のＳＣコネクタ２０を適当な間隔をおいて縦に並ぶようにする機能は、２個のＳＣコネクタ２０のうち上側のＳＣコネクタ２０が取り付け開口６ａの上縁部に当接するように、上側のＳＣコネクタ２０と下側のＳＣコネクタ２０とを離して配置する機能である。
【００２１】
図８は一実施形態によるアタッチメントの斜視図である。図８に示すアタッチメント３０は２個のＳＣコネクタ２０を、パッチパネル６の取り付け孔６ａに装着するための取り付け金具である。
【００２２】
アタッチメント３０は、ステンレス鋼板等の金属板を折り曲げて形成することが好ましい。ステンレス鋼板ではなく、鋼板にメッキを施したもので形成してもよく、真鍮板のような他の金属板で形成してもよい。また、以下に説明するような形状に作ることが可能であるなら樹脂成形品、あるいは金属のダイキャスト成形品とすることもできる。図８に示すアタッチメント３０は、ステンレス鋼板を折り曲げて形成した上下の２つの部品を溶接で接合して一体にしたものである。
【００２３】
アタッチメント３０は以下の機能部分を有している。
【００２４】
１）上段トレイ３１
上段トレイ３１は、上側に配置されるＳＣコネクタ２０を一時的に載置するための一時載置部である。
【００２５】
２）下段トレイ３２
下段トレイ３２は、下側に配置されるＳＣコネクタ２０を載置するための下側載置部である。
【００２６】
３）インサートガイド３３
インサートガイド３３は、アタッチメント３０を取り付け孔６ａに装着する際に、最初に取り付け孔６ａに入り込んで取り付け孔６ａの縁部に当接しながら挿入をガイドする案内部として機能する。したがって、インサートガイド３３の幅は取り付け孔６ａの幅より僅かに小さくなっている。インサートガイド３３は、下側のＳＣコネクタ２０を下側載置部上に配置した後には、下側のＳＣコネクタ２０の上下動及び縦方向の回転を抑制するためのがたつき防止部としても機能する。
【００２７】
４）インサートストッパ３４
インサートストッパ３４は、アタッチメント３０の位置決めを行なう部分である。インサートストッパ３４は、下側及び上側のＳＣコネクタ２０を搭載したアタッチメント３０をパッチパネル６の取り付け孔６ａに挿入する際に、パッチパネル６に当接してそれ以上挿入できなくする突当て部として機能する。
【００２８】
５）パネルフック３５
パネルフック３５は、インサートストッパ３４により挿入が止められた位置において、パッチパネル６に係合してアタッチメント３０の位置を固定するための係合部として機能する。
【００２９】
６）リフトトレイ３６
リフトトレイ３６は、アタッチメント３０がパッチパネル６に装着された後に、上側のＳＣコネクタ２０を上段トレイ３１より上方に載置するための上側載置部として機能する。
【００３０】
７）フランジサポート３７
フランジサポートは、上側のＳＣコネクタ２０がリフトトレイ３６上に載置される際に、上側のＳＣコネクタ２０のフランジ２０ａを支持するフランジ支持部として機能する。また、フランジサポート３７は、上側のＳＣコネクタ２０のフランジ２０ａに左右から当接して取り付け孔６ａの幅方向における移動を規制し、上側のＳＣコネクタ２０を幅方向において位置決めするための第１の上側位置決め部としても機能する。上側のＳＣコネクタ２０は、左右のフランジサポート３７により取り付け孔６ａの幅方向の中央に位置するように位置決めされる。
【００３１】
８）上段ボディサポート３８
上段ボディサポート３８は、上側のＳＣコネクタ２０の胴部が当接して上側のＳＣコネクタ２０を位置決めするための第２の上側位置決め部として機能する。上側のＳＣコネクタ２０は、左右のフランジサポート３７と左右の上段ボディサポート３８により取り付け孔６ａの幅方向における移動が規制され、取り付け孔６ａの幅方向の中央に位置するように位置決めされる。フランジサポート３７と上段ボディサポート３８により位置決めされるので、上側のＳＣコネクタ２０の水平面内の回転も規制され、上側のＳＣコネクタ２０は水平面内におけるがたつきが防止される。
【００３２】
９）下段ボディサポート３９
下段ボディサポート３９は、下段トレイ３２上に載置された下側のＳＣコネクタ２０の胴部に当接して下側のＳＣコネクタ２０を位置決めするための下側位置決め部として機能する。下側のＳＣコネクタ２０は、左右の下段ボディサポート３９により取り付け孔６ａの幅方向の移動が規制され、取り付け孔６ａの幅方向の中央に位置するように位置決めされる。また、下段ボディサポート３９は、アタッチメント３０を取り付け孔６ａに装着する際に、下側のＳＣコネクタ２０のフランジ部２０ａに当接して下側のＳＣコネクタ２０を押し込むという機能も有する。
【００３３】
以上説明したアタッチメント３０の機能部分は、ステンレス鋼板を適当な形に切り出して曲げ加工を行なうことで容易に作成することができる。ステンレス鋼板を切り出す形状及び曲げ加工を簡素化するために、図８に示すように、アタッチメント３０は、上側のＳＣコネクタ２０を載置する上段トレイ３１を有する上側部分と下側のＳＣコネクタ２０を載置する下段トレイ３２を有する下側部分に分けて作成される。上側部分と下側部分を作成した後、これらを溶接により接合して一体とし、図８に示すアタッチメント３０となる。
【００３４】
次に、ＳＣコネクタ２０をアタッチメント３０に搭載し、アタッチメント３０をパッチパネル６の取り付け孔６ａに装着する手順について説明する。
【００３５】
まず、図９に示すように、下側のＳＣコネクタ２０を、パネルフック３５が延在する側から下段トレイ３２とインサートガイド３３の間に挿入する。このとき、ＳＣコネクタ２０のバネ部２０ｂが挿入方向に関してフランジ２０ａより後方となるようにＳＣコネクタ２０の向きを決める。下側のＳＣコネクタ２０のフランジ２０ａがインサートストッパ３４に当接してそれ以上挿入できなくなった位置で、下側のコネクタ２０を下段トレイ３２上に載置する。
【００３６】
また、図９に示すように、上側のＳＣコネクタ２０を上段トレイ３１上に載置する。このとき、上側のＳＣコネクタ２０のバネ部２０ｂが左右のフランジサポート３７の間に位置し、且つ胴部が左右の上段ボディサポート３８の間に位置するように、上側のＳＣコネクタ２０を配置する。
【００３７】
上側のＳＣコネクタ２０の搭載と下側のＳＣコネクタ２０の搭載はどちらが先でもよく、同時に行ってもよい。図１０はアタッチメント３０に上側のＳＣコネクタ２０と下側のＳＣコネクタ２０とが搭載された状態を示す斜視図である。なお、ＳＣコネクタ２０の開口部には防塵キャップ２２が取り付けられているが、必ずしも防塵キャップ２２を付けたままＳＣコネクタ２０をアタッチメント３０に搭載する必要はない。
【００３８】
上側及び下側のＳＣコネクタ２０をアタッチメント３０に搭載したら、上側及び下側のＳＣコネクタ２０をアタッチメント３０と一緒にパッチパネル６の取り付け孔６ａに装着する。図１１は上側及び下側のＳＣコネクタ２０が搭載されたアタッチメント３０をパッチパネル６の取り付け孔６ａに装着する前の状態を示す斜視図である。図１２は図１１に示す状態を横から見た図である。
【００３９】
図１２に示すように、上側及び下側のＳＣコネクタ２０が搭載されたアタッチメント３０全体の高さは、パッチパネル６の取り付け孔６ａの高さにほぼ等しい。上側及び下側のＳＣコネクタ２０が搭載されたアタッチメント３０全体の高さは、アタッチメント２０のパネルフック３５の下端から上段ボディサポート３８の上端までの距離に相当する。
【００４０】
下側のＳＣコネクタ２０がまず取り付け孔６ａに挿入され、続いてインサートガイド３３が取り付け孔６ａに挿入される。そして、上側のＳＣコネクタ２０が取り付け孔６ａに挿入され、その後、アタッチメント３０の上下左右のインサートストッパ３４がパッチパネル６に当接する。インサートストッパ３４がパッチパネル６に当接すると、アタッチメント３０はそれ以上挿入できなくなる。アタッチメント３０がこの位置まで移動する間に、下側のＳＣコネクタ２０のバネ部２０ｂは、取り付け孔６ａの縁部に押されて内側に凹みながら取り付け孔６ａを通過し、取り付け孔６ａを過ぎた位置において弾性変形が元にもどって外側に突出する。これにより、下側のＳＣコネクタのフランジ２０ａとバネ部２０ｂとの間にパッチパネル６が挟まれた状態になる。
【００４１】
インサートストッパ３４がパッチパネル６に当接した位置において、アタッチメント３０のパネルフック３５は取り付け孔６ａをちょうど通り抜けた位置にある。そこで、アタッチメント３０を下方に移動すると、図１３に示すように、下段トレイ３２の下面が取り付け孔６ａの下縁に当接して止まる。
【００４２】
図１３に示す状態で、下側のＳＣコネクタ２０はパッチパネル６に取り付けられた状態となっている。すなわち、下側のＳＣコネクタ２０は下段トレイ３２上に載置されながら、下側のＳＣコネクタ２０のフランジ２０ａとバネ部２０ｂとの間にパッチパネル６が挟まれており、下側のＳＣコネクタ２０はパッチパネルに固定された状態である。また、この状態で、アタッチメント３０のパネルフック３５がパッチパネル６に当接しており、且つ反対側ではインサートストッパ３４がパッチパネル６に当接しているので、アタッチメント３０は挿入方向にも反対の方向にも移動できず、パッチパネル６に装着された状態となっている。一方、上側のＳＣコネクタ２０は上段トレイ３１上に載置されているままで、パッチパネル６に取り付けられてはいない。
【００４３】
そこで、図１３の矢印で示すように、上側のＳＣコネクタ２０のみを持ち上げ、挿入方向に移動してリフトトレイ３６の上に載置する。上側のＳＣコネクタ２０を挿入方向に移動する過程で、上側のＳＣコネクタ２０のバネ部２０ｂは取り付け孔６ａの縁部により押圧されて内側に凹み、取り付け孔６ａを過ぎたところで弾性により元に戻る。バネ部２０ｂが取り付け孔６ａを過ぎた位置では、フランジ２０ａがパッチパネル６に当接する。さらに上側のＳＣコネクタ２０のフランジ２０ａの下面がフランジサポート３７の上に乗り上げた状態となる。したがって、上側のＳＣコネクタ２０は、図１４に示すように、リフトトレイ３６上及び左右のフランジサポート３７上に載置された状態で、フランジ２０ａとバネ部２０ｂとの間にパッチパネル６が挟まれた状態となり、パッチパネル６に装着された状態となる。
【００４４】
以上のように、下側のＳＣコネクタ２０は、下段トレイ３２上に載置された状態でフランジ２０ａとバネ部２０ｂがパッチパネル６を挟むことでパッチパネル６に装着される。下側ＳＣコネクタ２０はインサートガイド３３と左右の下段ボディサポート３８と下段トレイ３２とで周囲を取り囲まれた状態となり、パッチパネル６に装着された状態でがたつきがほとんど無い状態となる。また、上側のＳＣコネクタ２０は、リフトトレイ３６とフランジサポート３７上に載置された状態で、フランジ２０ａとバネ部２０ｂがパッチパネル６を挟むことでパッチパネル６に装着される。上側のＳＣコネクタ２０は、リフトトレイ３６と、左右のフランジサポート３７と、左右の上段ボディサポート３８とで支持された状態となり、パッチパネル６に装着された状態でがたつきがほとんど無い状態となる。
【００４５】
また、本実施形態では、パッチパネル６の頂部に設けられた上板６ｂにより上側のＳＣコネクタ２０の動き（がたつき）が規制される。ただし、上板６ｂは必ずしも必要なわけではなく、取り付け孔６ａの上縁部に上側のＳＣコネクタ２０が当接することで、上側のＳＣコネクタ２０の上向きの動きは規制できる。すなわち、取り付け孔６ａがパッチパネル６の中央にあり、上板６ｂが上縁部に無い場合でも、問題なく上側のＳＣコネクタ２０をパッチパネル６に装着することができる。
【００４６】
また、本実施形態では、下段トレイ３２から下方に向かって脚部４０が延在している。脚部４０はパネルフック３５と同じ高さであり、パネルフック３５と脚部４０がパッチパネル６のベース板４２に当接してアタッチメント３０を支えることとしてもよいが、脚部４０での支持は必ずしも必要であるわけではない。上述のように、アタッチメント３０を下に移動した際には、下段トレイ３２の下面が取り付け孔６ａの下縁部に当接することで、アタッチメント３０が垂直方向に支持されればよい。例えば、取り付け孔６ａがパッチパネル６の中央にあり、ベース板４２から離れた位置にあった場合でもアタッチメント３０をパッチパネル６に装着することができる。
【００４７】
図１５は上述の工程を経てアタッチメント３０及び下側及び上側のＳＣコネクタ２０がパッチパネル６に装着された状態の斜視図である。ＳＣアコネクタ２０が２個、縦に並んだ状態で取り付け孔６ａに装着されている。ＳＣコネクタ２０が装着された取り付け孔６ａの隣の取り付け孔６ａには、２連ＬＣコネクタ８が２個縦に並んで装着されている。本実施形態によるアタッチメント３０を用いるだけで、ＬＣコネクタ用の取り付け孔６ａにＳＣコネクタ２０を簡単に装着することができる。
【００４８】
本明細書は以下の事項を開示する。
（付記１）
２個のＳＣコネクタをパネルに取り付けるために使用される光コネクタ取り付け用アタッチメントであって、
下側に配置されるＳＣコネクタが載置される下側載置部と、
上側に配置されるＳＣコネクタが一時的に載置される一時載置部と、
一時載置部より高い位置にあり、上側に配置されるＳＣコネクタが載置される上側載置部と、
前記光コネクタ取り付け用アタッチメントが前記パネルの取り付け孔に挿入された際に、前記パネルに当接して挿入を止める突当て部と、
前記下側載置部から下方に延在し、前記パネルに係合して前記光コネクタ取り付け用アタッチメントの挿入方向とは反対方向への移動を規制する係合部と
を有する光コネクタ取り付け用アタッチメント。
（付記２）
付記１記載の光コネクタ取り付け用アタッチメントであって、
上側のＳＣコネクタが前記上側載置部に載置されたときに、上側ＳＣコネクタのフランジを下側から支持するフランジ支持部をさらに有する光コネクタ取り付け用アタッチメント。
（付記３）  
付記２記載の光コネクタ取り付け用アタッチメントであって、
前記フランジ支持部は、上側のＳＣコネクタが前記一時載置部に載置されているときに、上側のＳＣコネクタのフランジに当接して上側のＳＣコネクタの幅方向の移動を規制する第１の上側位置決め部として機能する光コネクタ取り付け用アタッチメント。
（付記４）
付記１乃至３のうちいずれか一項記載の光コネクタ取り付け用アタッチメントであって、
上側のＳＣコネクタの胴部に当接して上側のＳＣコネクタの幅方向の移動を規制する第２の上側位置決め部をさらに有する光コネクタ取り付け用アタッチメント。
（付記５）
付記１乃至４のうちいずれか一項記載の光コネクタ取り付け用アタッチメントであって、
下側載置部に載置された下側のＳＣコネクタの胴部に当接して下側のＳＣコネクタの幅方向の移動を規制する下側位置決め部をさらに有する光コネクタ取り付け用アタッチメント。
（付記６）
付記１乃至５のうちいずれか一項記載の光コネクタ取り付け用アタッチメントであって、
前記光コネクタ取り付け用アタッチメントを前記パネルの取り付け孔に挿入するときに、前記取り付け孔の縁部に当接して挿入を案内する案内部をさらに有する光コネクタ取り付け用アタッチメント。
（付記７）
付記１乃至６のうちいずれか一項記載の光コネクタ取り付け用アタッチメントであって、
金属板の加工により形成された光コネクタ取り付け用アタッチメント。
（付記８）
付記７記載の光コネクタ取り付け用アタッチメントであって、
前記上側載置部を有する上側部分と前記下側載置部を有する下側部分とに分けて形成され、前記上側部分と前記下側部分とを接合して一体とした光コネクタ取り付け用アタッチメント。
（付記９）
２個のＳＣコネクタをパネルに取り付ける光コネクタ取り付け方法であって、
アタッチメントの下側載置部に下側のＳＣコネクタを載置し、且つアタッチメントの一時載置部に上側のＳＣコネクタを載置し、
アタッチメントを前記パネルの取り付け孔に取り付け、
前記一時載置部に載置されていた上側のＳＣコネクタを持ち上げて前記一時載置部より上方にある上側載置部に載置する
光コネクタ取り付け方法。
（付記１０）
付記９記載の光コネクタ取り付け方法であって、
前記アタッチメントを前記パネルに取り付ける際に、前記アタッチメントの突当て部を前記パネルに当接させ、
前記アタッチメントを下方に移動して前記アタッチメントの係合部を前記パネルに係合させ、前記突当て部と前記係合部との間に前記パネルを挟む
光コネクタ取り付け方法。
（付記１１）
付記９又は１０記載の光コネクタ取り付け方法であって、
前記アタッチメントを前記パネルに取り付ける際に、下側載置部に載置された下側のＳＣコネクタを前記パネルに係合させる
光コネクタ取り付け方法。
（付記１２）
付記９乃至１１のうちいずれか一項記載の光コネクタ取り付け方法であって、
上側のＳＣコネクタを前記上側載置部に載置する際に、上側のＳＣコネクタを前記パネルに係合させる
光コネクタ取り付け方法。
【図面の簡単な説明】
【００４９】
【図１】光ファイバ接続装置の斜視図である。
【図２】図１に示すパッチパネルの一部を拡大して示す斜視図である。
【図３】２連ＬＣコネクタの斜視図である。
【図４】ＳＣコネクタの斜視図である。
【図５】図２に示すパッチパネルの一部を異なる角度から見た斜視図である。
【図６】図５に示す２連ＬＣコネクタを一つの取り付け孔から取り外した状態を示す斜視図である。
【図７】ＬＣコネクタ用の取り付け孔の寸法とＳＣコネクタ用の取り付け孔の寸法を比較して示す図である。
【図８】アタッチメントの斜視図である。
【図９】アタッチメントに上側のＳＣコネクタと下側のＳＣコネクタとを搭載する前の状態を示す斜視図である。
【図１０】アタッチメントに上側のＳＣコネクタと下側のＳＣコネクタとが搭載された状態を示す斜視図である。
【図１１】上側及び下側のＳＣコネクタが搭載されたアタッチメントをパッチパネルの取り付け孔に装着する前の状態を示す斜視図である。
【図１２】図１１に示す状態を横から見た図である。
【図１３】下側のＳＣコネクタがパッチパネルに装着された状態を示す側面図である。
【図１４】下側及び上側のＳＣコネクタがパッチパネルに装着された状態を示す側面図である
【図１５】アタッチメント及び下側及び上側のＳＣコネクタがパッチパネルに装着された状態を示す斜視図である。
【符号の説明】
【００５０】
２  外側ケース
４  内側ケース
６  パッチパネル
８  ２連ＬＣコネクタ
８ａ  フランジ
８ｂ  バネ部
１０  光ファイバ
１２  防塵用キャップ
２０  ＳＣ子円クタ
２０ａ  フランジ
２０ｂ  バネ部
２２  防塵用キャップ
３０  アタッチメント
３１  上段トレイ
３２  下段トレイ
３３  インサートガイド
３４  インサートストッパ
３５  パネルフック
３６  リフトトレイ
３７  フランジサポート
３８  上段ボディサポート
３９  下段ボディサポート
４０  脚部
４２  ベース板
【図１】
2010145974.tif 000003
【図２】
2010145974.tif 000004
【図３】
2010145974.tif 000005
【図４】
2010145974.tif 000006
【図５】
2010145974.tif 000007
【図６】
2010145974.tif 000008
【図７】
2010145974.tif 000009
【図８】
2010145974.tif 000010
【図９】
2010145974.tif 000011
【図１０】
2010145974.tif 000012
【図１１】
2010145974.tif 000013
【図１２】
2010145974.tif 000014
【図１３】
2010145974.tif 000015
【図１４】
2010145974.tif 000016
【図１５】
2010145974.tif 000017